(57)【要約】【課題】Ｘ線センサにおいてＸ線を自動的に検出するためのシステムおよび方法を提供することである。【解決手段】Ｘ線センサに向けて源がＸ線の放射線を放射し、Ｘ線センサはＸ線の放射線を自動的に検出する。Ｘ線センサは時系列を見積もり、暗電流および他のノイズによって電圧閾値を横切るのにかかる平均時間より早い一定の時間で電圧閾値を横切ったことを判定することによって、Ｘ線の放射線を自動的に検出する。【選択図】図７
2010099481.tif 000002
【特許請求の範囲】
【請求項１】
Ｘ線センサとともにＸ線の放射線を自動的に検出する方法であって、
蓄えられた電荷を画素アレイから除去することによって、前記画素アレイをリセットするステップと、
前記画素アレイのリセットからの経過時間を測定するステップと、
前記経過時間および平均暗電流トリガー時間を使用して、判定演算を実行するステップと、
閾値を横切ったことを判定するステップであって、前記閾値を横切ることは、所定量の電荷が、前記画素アレイの少なくとも一部分上に蓄えられたことを示す、ステップと、
Ｘ線の放射線が、前記画素アレイの前記少なくとも一部分で受け取られたことを、前記判定演算に基づき判定するステップと、
Ｘ線の放射線が受け取られたと判定されたとき、Ｘ線画像を生成するのに使用するために、前記画素アレイからデータを出力するステップとを含む、方法。
【請求項２】
前記判定演算を実行するステップは、前記経過時間と前記平均暗電流トリガー時間の間の差を、
所定値と、
微調整変数と前記平均暗電流トリガー時間の標準偏差との積と
のうちの少なくとも１つと比較するステップを含む、請求項１に記載の方法。
【請求項３】
前記差が前記所定値または前記標準偏差のうちの前記少なくとも１つより大きい場合、Ｘ線の放射線が前記画素アレイの前記少なくとも一部分で受け取られたと判定される、請求項２に記載の方法。
【請求項４】
前記平均暗電流トリガー時間は、前記画素アレイのリセットと、暗電流によって前記閾値を横切ったという判定との間の経過時間を繰り返し計算することに基づく、請求項１に記載の方法。
【請求項５】
前記平均暗電流トリガー時間は、前記Ｘ線センサの温度を示す、請求項１に記載の方法。
【請求項６】
前記平均暗電流トリガー時間によって示された前記Ｘ線センサの前記温度が、所定のレベルを超えた場合、エラー条件を生成するステップをさらに含む、請求項５に記載の方法。
【請求項７】
前記閾値は所定の電圧レベルであり、
前記画素アレイの前記少なくとも一部分上に蓄えられた前記所定量の電荷によって、ダイオードでの電位が前記閾値より低くなる、請求項１に記載の方法。
【請求項８】
前記経過時間および前記平均暗電流トリガー時間を使用して、第２の判定演算を実行するステップをさらに含み、
前記判定演算を実行するステップは、前記経過時間と前記平均暗電流トリガー時間との間の差を第１の値と比較するステップを含み、
前記第２の判定演算を実行するステップは、
前記差を第２の値と比較するステップと、
前の経過時間と前の平均暗電流トリガー時間との間の第２の差を、前記第２の値と比較するステップと
を含む、請求項１に記載の方法。
【請求項９】
前記差が前記第１の値より大きい場合、あるいは前記差および前記第２の差の両方が前記第２の値より大きい場合、Ｘ線の放射線が前記画素アレイの前記少なくとも一部分で受け取られたと判定される、請求項８に記載の方法。
【請求項１０】
１）前記差が前記第１の値より大きい場合、高線量率が発生したと判断を下し、２）前記差および前記第２の差の両方が前記第２の値より大きい場合、低線量率が発生したと判断を下すステップをさらに含み、
前記第１の値は、前記第２の値より大きい、請求項９に記載の方法。
【請求項１１】
前記Ｘ線の放射線がもう受け取られていないことを判定するステップと、
前記画素アレイの前記少なくとも一部分で受け取られた前記Ｘ線の放射線の持続時間に基づき、その後のＸ線の放射線の露光に対する積分時間を減少させるステップとをさらに含む、請求項１に記載の方法。
【請求項１２】
Ｘ線の受け取りを自動的に検出するＸ線センサであって、
プロセッサと、
画素アレイと、
メモリとを含み、
前記プロセッサは、
蓄えられた電荷を前記画素アレイから除去することによって、前記画素アレイをリセットし、
前記画素アレイのリセットからの経過時間を測定し、
前記経過時間および平均暗電流トリガー時間を使用して、判定演算を実行し、
閾値を横切ったことを判定し、前記閾値を横切ることは、所定量の電荷が前記画素アレイの少なくとも一部分上に蓄えられたことを示し、
Ｘ線の放射線が前記画素アレイの前記少なくとも一部分で受け取られたことを、前記判定演算に基づき判定し、
Ｘ線の放射線が受け取られたと判定されたとき、Ｘ線画像を生成するのに使用するために、前記画素アレイからデータを出力するように構成された、Ｘ線センサ。
【請求項１３】
前記プロセッサは、前記経過時間と前記平均暗電流トリガー時間との間の差を、
所定値と、
微調整変数と前記平均暗電流トリガー時間の標準偏差との積と
のうちの少なくとも１つと比較することによって、前記判定演算を実行するように、さらに構成された、請求項１２に記載のＸ線センサ。
【請求項１４】
前記差が、前記所定値または前記標準偏差のうちの前記少なくとも１つより大きい場合、Ｘ線の放射線が前記画素アレイの前記少なくとも一部分で受け取られたと判定される、請求項１３に記載のＸ線センサ。
【請求項１５】
前記平均暗電流トリガー時間は、前記画素アレイのリセットと、暗電流によって前記閾値を横切ったという判定との間の経過時間を繰り返し計算することに基づく、請求項１２に記載のＸ線センサ。
【請求項１６】
前記平均暗電流トリガー時間は、前記Ｘ線センサの温度を示す、請求項１２に記載のＸ線センサ。
【請求項１７】
前記プロセッサは、前記平均暗電流トリガー時間によって示された前記Ｘ線センサの前記温度が、所定のレベルを超えた場合、エラー条件を生成するようにさらに構成された、請求項１６に記載のＸ線センサ。
【請求項１８】
前記閾値は、所定の電圧レベルであり、
前記画素アレイの前記少なくとも一部分上に蓄えられた前記所定量の電荷によって、ダイオードでの電位が前記閾値より低くなる、請求項１２に記載のＸ線センサ。
【請求項１９】
前記プロセッサは、前記経過時間および前記平均暗電流トリガー時間を使用して、第２の判定演算を実行するようにさらに構成され、
前記判定演算の実行は、前記経過時間と前記平均暗電流トリガー時間との間の差を第１の値と比較することを含み、
前記第２の判定演算を実行することは、前記差を第２の値と比較することと、前の経過時間と前の平均暗電流トリガー時間との間の第２の差を、前記第２の値と比較することとを含む、請求項１２に記載のＸ線センサ。
【請求項２０】
前記差が前記第１の値より大きい場合、あるいは前記差および前記第２の差の両方が前記第２の値より大きい場合、Ｘ線の放射線が前記画素アレイの前記少なくとも一部分で受け取られたと判定される、請求項１９に記載のＸ線センサ。
【請求項２１】
前記プロセッサは、１）前記差が前記第１の値より大きい場合、高線量率が発生したと判断を下し、２）前記差および前記第２の差の両方が前記第２の値より大きい場合、低線量率が発生したと判断を下すようにさらに構成され、
前記第１の値は、前記第２の値より大きい、請求項２０に記載のＸ線センサ。
【請求項２２】
前記プロセッサは、
前記Ｘ線の放射線がもう受け取られていないことを判定し、
前記画素アレイの前記少なくとも一部分で受け取られた前記Ｘ線の放射線の持続時間に基づき、その後のＸ線の放射線の露光に対する積分時間を減少させるようにさらに構成された、請求項１２に記載のＸ線センサ。
【発明の詳細な説明】
【技術分野】
【０００１】
本発明は、Ｘ線撮像に関する。より詳しくは、本発明の実施形態は、歯科医療で使用されるＸ線センサの自動的なトリガーに関する。
【背景技術】
【０００２】
Ｘ線は、多年にわたり、歯および口の部分を撮像するために、歯科医療において使用されてきた。一般に、処置は、患者の口腔の外部でＸ線を発生するステップと、患者の口中に配置された受像器に向けてＸ線を方向づけるステップとを含む。Ｘ線は、患者の歯の構造の異なる部分ごとに異なって減衰され（たとえば、骨対組織）、この減衰の差を使用して、フィルム上になどに、または電子画像センサを使用することによって、画像を生成する。ほとんどの場合、Ｘ線源が、オペレータによって手動でトリガーされる。言い換えると、画像の取り込みは、技師または他の人が、たとえばスイッチを起動することによって、開始される。フィルムベースのシステムの場合、画像は、フィルムがＸ線の放射線に露光されるとすぐに、取り込まれる。したがって、フィルムを「活性化する」必要がない。いったんＸ線源が起動され、Ｘ線がフィルムに到達すると、画像が取り込まれる。
【０００３】
電子システムでは、取り込まれる特定の画像は、少なくとも２つのファクタ、すなわちＸ線源の起動およびセンサの「起動」に依存する。センサの「起動」を構成するものは、使用されるセンサのタイプに基づき変化することがあるが、ほとんどの場合、「起動」は、そのセンサの現在の画像データを記憶するかまたは出力する（本明細書では、「画像取り込み」という）ためのコマンドがセンサに送られたとき、行われる。いくつかのシステムでは、Ｘ線源が起動されたとき、コマンドが（同時に、またはほとんど同時に）センサに送られて画像取り込みを行えるように、Ｘ線源とセンサの間に電気的な結合が存在する。したがって、Ｘ線の放射線のバーストを発生し、そしてＸ線露光の比較的短い期間中にセンサが画像を取り込むことを保証することが可能である。
【発明の概要】
【発明が解決しようとする課題】
【０００４】
本発明の実施形態では、Ｘ線センサを自動的にトリガーする。自動的なＸ線センサでは、センサは、特定のトリガー信号をそのセンサに送ることを必要とせずに、Ｘ線源からのＸ線の放射線を検出する。特定のトリガー信号が自動的なＸ線センサに送られることはないが、いくつかの初期化信号がセンサに送られ、センサを起動させるかまたは準備完了の状態にさせ、センサがＸ線の放射線の検出を待ち始めるようにすべきことを指示することができる。
【０００５】
発明者等は、自動的なトリガーシステムに関する多くの課題を認識している。１つの課題は、暗電流の蓄積に基づく誤トリガーに関するものである。Ｘ線センサが、Ｘ線源からのＸ線の放射線を検出するために待機しているとき、暗電流および他のノイズによってセンサに電荷が蓄積され、それによって、センサが、最終的にＸ線の放射線を受け取ったかどうかを正しく判定しないことがある。この誤トリガーの問題は、センサ近くの大気温度が上昇するにつれて拡大する。というのは、暗電流は温度とともに増加するからである。
【０００６】
自動的なトリガーシステムに関連する他の課題は、Ｘ線源とセンサの間の位置合わせに関するものである。多くの事例では、位置決めシステムまたは機構を使用した場合でも、Ｘ線センサ（特に口中に配置されたＸ線センサ（すなわち、口内センサ））は、正しく位置合わせされないことがしばしばである。したがって、Ｘ線センサの一部分だけが放射線に曝される。多くの事例において、この部分的な露光は、簡単な閾値ベースのトリガーによって画像取り込みを開始させるのに十分でない。したがって、正しくない位置合わせは、Ｘ線技師が生成されているはずだと確信した画像を調べようと試みるまで認識されないことがあり、結局、そのような画像が生成されていないことをと発見するだけになる。次いで、技師は、Ｘ線源およびセンサを再び位置合わせしようと試みて、撮像プロセスを再び開始することがある。しかし、使用に適した画像を取り込むために、いくつかの試みを実施することがあり、それぞれの試みは、Ｘ線の放射線の追加の放射線量に患者を曝すことになる。良く知られているように、Ｘ線の放射線の高い放射線量は、人々の健康に危険な悪影響を及ぼす恐れがある。したがって、Ｘ線に対して不必要に曝すことは回避すべきである。
【０００７】
自動的トリガーシステムに関連するまた他の課題は、受像器内でＸ線画像を形成するために投与されるＸ線の放射線量および線量率が、比較的大きくばらつくことである。被曝量および線量率のばらつきは、Ｘ線源の差を含む、いくつかのファクタによって引き起こされる。Ｘ線源は、いくつかの異なる製造業者によって製造され、それらの設計および仕様は時間とともに変化してしまう。したがって、それらの出力強度は様々である。たとえば、より古いＸ線の機械は、通常、変動する線量率とともに比較的高いＸ線の放射線量を発生するが、一方より新しい機械は、より安定した線量率とともにより少ない放射線量を発生する。センサで受け取られるＸ線の放射線量および線量率のばらつきは、（患者から患者の）生体構造および源から患者までの距離のばらつきの結果でもある。知られているように、放射線量は、源と患者の間の距離（ｄ）のｄ２のファクタに依存する。
【課題を解決するための手段】
【０００８】
一実施形態では、本発明は、Ｘ線センサによってＸ線の放射線を自動的に検出する方法を提供する。この方法は、蓄えられた電荷を画素アレイから除去することによって、画素アレイをリセットするステップと、画素アレイのリセットからの経過時間をプロセッサによって測定するステップとを含む。また、この方法は、プロセッサが、経過時間および平均暗電流トリガー時間を使用して判定演算を実行するステップと、閾値を横切ったことを判定するステップとを含む。閾値を横切ったことは、所定量の電荷が、画素アレイの少なくとも一部分上に蓄えられたことを示す。また、この方法は、Ｘ線の放射線が画素アレイの一部分で受け取られたことを、上記判定演算に基づきプロセッサによって判定するステップを含む。Ｘ線の放射線が受け取られたと判定されると、Ｘ線画像を生成することに使用するため、画素アレイからデータを出力する。
【０００９】
一実施形態では、本発明は、Ｘ線の受け取りを自動的に検出するＸ線センサを提供する。Ｘ線センサは、プロセッサと、画素アレイと、メモリとを含む。プロセッサは、蓄えられた電荷を画素アレイから除去することによって画素アレイをリセットし、画素アレイのリセットからの経過時間を測定するように構成される。また、プロセッサは、経過時間および平均暗電流トリガー時間を使用して判定演算を実行し、閾値を横切ったことを判定するように構成される。閾値を横切ったことは、所定量の電荷が、画素アレイの少なくとも一部分上に蓄えられたことを示す。プロセッサは、上記判定演算に基づき、Ｘ線の放射線が画素アレイの一部分で受け取られたことを判定するように構成される。Ｘ線の放射線が受け取られたと判定されると、プロセッサは、Ｘ線画像を生成することに使用するため、画素アレイからデータを出力するように構成される。
【００１０】
本発明の他の態様は、詳細な説明と添付図面を検討することによって、明らかになる。
【図面の簡単な説明】
【００１１】
【図１】Ｘ線源と、患者の口内に配置された口内センサと、その口内センサに接続されたコンピュータとを含む歯科Ｘ線システムを示す図である。
【図２】口内センサを示す図である。
【図３】本発明のいくつかの実施形態による画素アレイの回路図である。
【図４】画素アレイ上へのＸ線露光のタイミング図である。
【図５】画素によるＸ線蓄積および出力のフローチャートである。
【図６】暗電流の温度に対するグラフである。
【図７】Ｘ線の放射線を自動的に検出するプロセスを示す図である。
【図８】固定リセットのタイミング図である。
【図９】Ｘ線の放射線を自動的に検出するプロセスを示す図である。
【図１０】完全な適応リセットのタイミング図である。
【図１１】Ｘ線の放射線を受け取るセンサの図である。
【発明を実施するための形態】
【００１２】
本発明のいずれかの実施形態を詳細に述べる前に、本発明はその応用において、以下の説明で述べるかまたは以下の図面に示す構成要素の構造および構成の詳細に限定されないことを理解されたい。本発明は、他の実施形態が可能であり、様々な方法で実施または実行することができる。さらに、本出願で使用されるプロセッサという用語は、マイクロコントローラ、プログラマブルロジックデバイス（たとえば、フィールドプログラマブルゲートアレイ「ＦＰＧＡ」）、汎用プロセッサ、特別に設計されたハードウェア（たとえば、特定用途向け集積回路「ＡＳＩＣ」）、または、それらの組み合わせのいずれも意味する。
【００１３】
図１に、歯科Ｘ線システム１０を示す。このシステムは、Ｘ線源１２を含む。ここに示す実施形態では、この源は機械的アーム１５の端部１３上に配置される。Ｘ線源１２は、起動されたとき、Ｘ線ストリーム１６を発生する。（もちろん、Ｘ線は、一般に目に見えないが、ストリームの表現は、本発明の理解を容易にするために示されている）。いくつかの応用においては、Ｘ線ストリームをＸ線センサに位置合わせするのに役立てるために、取り外し可能なコリメータが機械的な位置決め装置とともに使用される。
【００１４】
図１に示すように、アーム１５は、口内センサ２０にＸ線ストリームを方向づけるように、（たとえば、オペレータによって）位置決めされる。口内センサ２０は、患者２１の口内に配置されているのを示す。いくつかの実施形態では、口内センサ２０は、Ｘ線の放射線を可視光線に変換するシンチレータと、その可視光線を電子に変換する光検出素子とを含む。他の実施形態では、センサ２０は、シンチレータなしで、Ｘ線を電子に変換するように構成される。
【００１５】
図２を参照すると、もっともよく分かるように、センサ２０は、画素のアレイ２２も含む。各画素は、その上に衝突する（シンチレータからの）光に、またはＸ線の放射線に応答して、電気信号を生成する。一実施形態では、センサ２０は、画素が発生したアナログ信号をデジタル信号に変換する、１つまたは複数のアナログ・デジタル（「Ａ／Ｄ」）変換器を含む。これらの信号は、プロセッサ２３（プログラマブルエレクトロニックマイクロプロセッサ、ＦＰＧＡ、ＡＳＩＣまたは同様のデバイスなど）に送られる。いくつかの実施形態では、Ａ／Ｄ変換器は、画素アレイ２２の一部分として、プロセッサ２３の一部分として、または画素アレイ２２とプロセッサ２３の間にある別の構成要素として、実装される。ここに示す実施形態では、プロセッサ２３は、メモリ２４（ＲＯＭおよびＲＡＭ）および入出力インターフェース２５に接続される。また、センサ２０は、電源を供給し、画素アレイを駆動し、出力部（たとえば、入出力インターフェース２５中に配置された回路）を駆動するために、１つまたは複数の電子回路を含んでいる。アレイ２２は、画素アレイ２２と構成要素２３、２４および２５との間の接続の説明を容易にするために、センサ２０の一部分だけをカバーするものとして示してある。しかし、アレイ２２は、ほとんどの応用の場合、センサ２０と一般に同一の広がりを有し、構成要素２３、２４および２５は、（図２に示すように）アレイ２２の側面にではなく、むしろアレイ２２の背後に配置される。
【００１６】
図１に戻ってそれを参照すると、センサ２０は、そのワイヤ、ケーブルまたは同様のコネクタ２７によって、コンピュータ３０に接続される。コンピュータ３０は、プロセッサまたは同様の電子デバイス３２、入出力インターフェース３４、およびメモリ３６（たとえば、ＲＡＭおよびＲＯＭ）を含む、様々な構成要素を含む。１つの具体的な実施形態では、入出力インターフェース３４は、ユニバーサルシリアルバス（「ＵＳＢ」）接続部であり、コネクタ２７は、ＵＳＢケーブルである。他の実施形態では、無線接続部が、センサ２０とコンピュータ３０の間に構成される。図１に、センサ２０が取り込み、コンピュータ３０が処理した画像データが、ディスプレイ３８に送られて、画像４０として見られることを示す。（画像４０は、Ｘ線画像が通常見えるよりもっとはっきりと描画される）。
【００１７】
図３に、画素アレイ２２の例示の図を表す。画素アレイ２２は、説明の目的で、３×３の画素アレイとして表現されているが、画素アレイ２２は、一般に９個より多くの画素を有している。画素アレイ２２は、画素４２と、リセットスイッチ４４と、検知スイッチ４５とを含む。各画素は、リセット／検知スイッチ４６と、積分素子４８と、読み出し増幅器５０と、読み出しスイッチ５２とを含む。積分素子４８は、Ｘ線、暗電流およびノイズに基づくエネルギーの受け取りに応答して電荷を積分し、以下にもっと詳細に述べる。この説明において電荷という用語を使用するが、大まかに言って、電荷は、積分素子４８で受け取られたエネルギーの量を表す。他の実施形態では、電子、正孔、または他の電気的信号であり、アナログであろうとデジタルあろうと、積分素子４８で受け取られたエネルギーの量を表す。また、各画素は、行選択信号５４および列選択信号５６の１つを受け取る。行選択ライン５４は、読み出しスイッチ５２を制御する。各積分素子４８上に蓄えられた電荷は、行選択信号５４および列選択信号５６を使用して読み出し、解釈して、上記に述べたようにＸ線画像４０を生成することができる。いくつかの実施形態では、積分素子４８は、読み出し時に消去される（「破壊」読み出し）。他の実施形態では、積分素子４８は、読み出し時に消去されない（「非破壊」読み出し）。
【００１８】
画素アレイ２２は、４つの一般的な機能状態、すなわち１）リセット状態、２）検出状態、３）積分状態、および４）読み出し状態を有する。リセット状態では、各画素４２の積分素子４８上に蓄えられた電荷が、積分素子４８を基準電圧（たとえば、２ボルト）にセットすることによって、除去される。積分素子４８は、検知スイッチ４５および読み出しスイッチ５２を開のままにしながら、リセット／検知スイッチ４６およびリセットスイッチ４４を閉じることによって、基準電圧にセットされる。
【００１９】
検出状態では、リセット／検知スイッチ４６および検知スイッチ４５が閉じられて、積分素子４８を検知ライン４７に接続し、一方リセットスイッチ４４および読み出しスイッチ５２が開のままにされる。検出状態では、閾値を横切ったかどうかを判定するために画素アレイの全体的な電荷が測定され、それによりＸ線の放射線の受け取りを示すことができる。各積分素子４８は、リセット状態から、ほぼ基準電圧に等しい電圧を有して始まる。その後、電荷が、積分素子４８においてＸ線エネルギー、暗電流およびノイズから積分されるにつれて、積分素子４８における電圧が低下する。したがって、いずれかの積分素子４８における電圧が低下するにつれ、検知ライン４７とグラウンド５９の間で測定された画素アレイ全体にわたる全体的な電圧（画素アレイ２２の全体をメタダイオードとして見なすことができるので、「ダイオード電圧」という）は低下する。いくつかの実施形態では、画素４２の一部分だけが、検出状態中、検知スイッチ４５に接続される。他の実施形態では、追加の検知スイッチ４５が画素アレイ２２中に設けられ、各検知スイッチ４５は画素４２の特定の部分に接続される。したがって、画素アレイ２２を全体にわたって検知することとは対照的に、画素４２の特定の部分によって電圧閾値を横切ったことを検知することができる。
【００２０】
積分状態では、すべてのスイッチ（４４、４５、４６および５２）が開である。画素アレイ２２は、Ｘ線の放射線によって、さらには望ましくないノイズ成分（たとえば、暗電流）によって生成された電荷を積分する。
【００２１】
読み出し状態では、信号が、列選択ライン５６（ｊ、ｊ＋１、またはｊ＋２のいずれか）に送られる。さらに、信号が、行選択ライン５４（ｉ、ｉ＋１、またはｉ＋２のいずれか）に沿って画素の特定の行に送られる。それに応じて、画素の選択された行の読み出しスイッチが閉じられる。画素の行の積分素子４８上に蓄えられた電荷は、出力経路５７に沿って出力される。特定の列選択ライン５６に送られた指示は、出力経路５７の１つを選ぶように働き、選ばれた出力経路５７に沿って出力された電荷をＡ／Ｄ変換器５８に入力することが可能になる。Ａ／Ｄ変換器５８は、画素から受け取ったアナログ信号を変換して、プロセッサ２３にデジタル信号を出力する。適切な行選択ライン５４および列選択ライン５６に信号を送ることを通じた各画素４２についてのこのプロセスを繰り返すことによって、すべての画素アレイ２２が読み出される。
【００２２】
いくつかの実施形態では、複数の画素が並行して読み出される。たとえば、いくつかの実施形態では、Ａ／Ｄ変換器５８は、画素４２からの複数のアナログ信号をデジタル信号に同時に変換して、そのデジタル信号をマルチビットバスに沿ってプロセッサ２３に転送する。他の実施形態では、個々の画素のＡ／Ｄ変換器が、単一のＡ／Ｄ変換器５８とは対照的に、各画素内に設けられる。いくつかの実施形態では、積分素子４８で積分された電荷によって、各積分素子にわたって蓄えられた電圧が、（低下するよりむしろ）上昇する。この実施形態では、リセット信号が、各積分素子４８の間の電圧をグラウンドにセットすることによって、各積分素子４８上に蓄えられた電荷を除去する。さらに、ダイオード電圧は、画素アレイがＸ線の放射線、暗電流および他のノイズに曝されたとき、低下するよりむしろ上昇する。したがって、閾値電圧は、リセット値より高い値にセットされ、ダイオード電圧が閾値より高いレベルまで上昇したとき、横切られる。
【００２３】
図４に、源１２がＸ線ストリーム１６を放射し、センサ２０がそのＸ線ストリームを検出し、プロセッサ２３が画像を取り込むことに対する時間軸８０を表す。時刻８２の前に、画素アレイ２２は、リセット状態と検出状態の間で繰り返し切り替えられることによって、準備がされる。時刻８２で、源１２がＸ線ストリーム１６の放射を始める。時刻８４で、センサ２０が、Ｘ線ストリーム１６を検出し、Ｘ線ストリーム１６に応答して生成される電荷の積分を始める。時刻８６で、源１２から放射されたＸ線の放射が終了する。時刻８６と８８の間で、画素アレイ２２は、積分状態のままである。いくつかの実施形態では、Ｘ線情報が失われることになる、読み出しが早すぎることを回避するために、時刻８６と８８の間に積分時間が含められる。時刻８８で、画素アレイ２２で積分された電荷は、プロセッサ２３が読み出して、いくつかの実施形態では、メモリ２４に記憶される。一実施形態では、時刻８２と８４の間の期間は１から６ミリ秒の範囲内であり、時刻８４と８６の間の期間は２０から６００ミリ秒の範囲内であり、時刻８６と８８の間の期間は約２万ミリ秒の範囲内であり、時刻８８と画素の読み出し終了の間の期間は約１秒である。一般に、時刻８４と８８の間の積分期間は、源１２がＸ線の放射線を放射する時間の長さより長くセットされる。しかし、いくつかの実施形態では、センサ２０は、回路またはソフトウェアを設けてＸ線放射の終了を検出し、そして時刻８８で始まる読み出し動作は時刻８６の前でＸ線放射の終了のより近くで行われる。
【００２４】
画素アレイ２２の画素で受け取られた信号は、２つの主な部分、すなわちバックグラウンド信号と、Ｘ線の放射線の入射の結果として生成された信号とを含む。バックグラウンド信号は、ほとんど、１）暗電流、２）他のパラメータおよび３）ノイズの結果である。画素アレイ２２におけるそれらの信号の合計がトリガー閾値レベルを横切ったとき、センサ２０は、以下に述べるようにＸ線を検出する、または、Ｘ線が受け取られたかどうかを判定するために、追加のステップを実施する。
【００２５】
図５に、画素アレイ２２の単一の画素（ｕ、ｖ）によるＸ線蓄積および信号出力のモデル９０を示す。画素上に蓄積された電荷は、３つの成分、すなわち１）源１２からのＸ線信号９２、それは、シンチレータまたは同様のデバイスによって光に変換することができ、２）様々な源からのランダムノイズ９４、および３）暗電流９６を含む。その３つの成分は画素で積分され、その機能は積分器９８で表される。積分器９８は、図３に積分素子４８として表す。画素は、一実施形態ではＣＭＯＳデバイスであり、ブロック１００において積分された電荷を電圧に変換する。ブロック１００は、図３に読み出し増幅器５０として表す。その後、画素の読み出しが、画素アレイの列を読み出し、その後行を読み出すことによって、ステップ１０４および１０６で行われる。あるいは、行が読み出され、その後列が読み出される。列と行の順序にかかわらず、画素アレイ２２から読み出された電圧は、Ａ／Ｄ変換器１０８によって変換され、Ａ／Ｄ変換器１０８は、画素アレイ内にまたは画素アレイ２２の外部にあることができる。Ａ／Ｄ変換器１０８は、図３にＡ／Ｄ変換器５８として示す。また、ブロック１０２ａ〜ｃに、画素アレイがランダムノイズを受ける恐れがあることを示しているが、その影響は、通常無視してよい。Ａ／Ｄ変換器１０８の前で、Ａ／Ｄ変換器１０８の内部で、またはデジタル的にＡ／Ｄ変換器１０８の後で、信号に利得を加えることができる。
【００２６】
図６に、半導体撮像の分野では知られている、暗電流に及ぼす温度の影響を示す。センサ２０の画素アレイ２２の温度が、（特定の部分上で、または全体的に）上昇するにつれて、暗電流は増加する。たとえば、暗電流は、ほぼ７〜１１℃ごとに２倍になる。画素アレイ２２の温度は、たとえば、口内のＸ線のために患者の口の内部に配置されると上昇することがあり、日光に曝されると上昇することがあり、あるいは、消毒剤（アルコールなど）に曝されると低下することがある。暗電流は、その蓄積が許容されている場合、最終的に画素アレイ２２のトリガー閾値を横切り、Ｘ線が受け取られていないときに画像取り込みをトリガーしてしまうことになる。
【００２７】
図７および８に、暗電流の蓄積によって画素アレイ２２が誤ってトリガーされることを防止するプロセス１５０、および固定リセットのタイミング図１５１ａおよび１５１ｂを表す。このプロセスは、ステップ１５２で始まり、リセットステップ１５４に進む。リセットステップ１５４では、変数「ｔ」が０にリセットされ、画素アレイ２２がリセットされる。画素アレイ２２をリセットするために、電荷が、上記に図３を参照して述べたように、それぞれの画素から流出させられる。リセットの後、電荷は、暗電流またはＸ線ストリーム１６などの源から蓄積を始める。ステップ１５６で、プロセスは変数ｔが所定の「リセット時間」に等しいかどうかを判定する。変数ｔがリセット時間に等しくない場合、プロセスは、ステップ１５８に進む。ステップ１５８で、プロセスは画素アレイ２２中に蓄積された電荷がトリガー閾値を超えたかどうかを判定する。そうでない場合、プロセスは、ステップ１６０に進み、そこで変数ｔが１だけ増加する（すなわち、ｔ＝ｔ＋１）。
【００２８】
ステップ１６０の後、プロセスはステップ１５６に戻り、再び、変数ｔがリセット時間に等しいかどうかを判定する。Ｘ線ストリーム１６が、所定の期間（リセット時間）にわたって画素アレイ２２で受け取られていない場合、プロセスのステップ１５６〜１６０は十分な回数だけ繰り返され、それによって、ステップ１５６でｔはリセット時間に等しくなることになる。次いで、処理はリセットステップ１５４に進み、画素アレイ２２はリセットされ、暗電流による電荷は取り除かれる。プロセスは、ステップ１５６〜１６０に戻り、Ｘ線ストリーム１６の受け取りを待つ。例示のリセット時間は、約１ミリ秒とすることができる。リセット時間は、センサ２０の製造中に、またはセンサ２０の取り付け前の別のときに（取り付けは、センサがユーザのコンピュータ３０に接続されるときに行われる）、プロセッサ２３中に記憶してもよい。いくつかの実施形態では、リセット時間は、異なるＸ線の放射線量に適合するように、および、センサ２０の経年劣化および用途の一方又は双方を考慮するように、現場で更新される。
【００２９】
ステップ１５８で、画素アレイ２２中に蓄積された電荷がトリガー閾値を超えた場合、プロセス１５０は、Ｘ線ストリーム１６が画素アレイ２２によって受け取られたと判定する。その後、ステップ１６２で画素アレイ２２はプロセッサ２３によって読み出され、ステップ１６４でコンピュータ３０に出力される。
【００３０】
図８に、リセット信号１８１（リセットステップ１５４中に画素アレイ２２に送られる）および画素アレイ２２中への電荷の蓄積に対するタイミング図１５１ａおよび１５１ｂを表す。電荷が画素アレイ２２中で蓄積されるにつれて、ダイオード電圧１８２は初期値から下降する。タイミング図１５１ａに示すように、リセット時間が過ぎた後に（ｔ＝ステップ１５６におけるリセット時間）Ｘ線ストリーム１６が画素アレイによって受け取られていないと仮定されると、リセット信号がパルスされ、画素アレイ２２がリセットされる。しかしながら、Ｘ線ストリーム１６が受け取られた場合、タイミング図１５１ｂに示すように、ダイオード電圧はより早く低下して、閾値電圧１８３より下を横切り、Ｘ線ストリーム１６が検出されることになる（ステップ１５８）。図８に示す実施形態では、３００マイクロ秒のリセット時間、０．５Ｖの閾値電圧１８３、および２Ｖの初期電圧が使用される。他の実施形態では、異なる値を使用することができる。
【００３１】
図７の固定タイミングのプロセス１５０はいくつかの事例でうまくゆくが、より適応性のある技術を使用することができる。選ばれたリセット時間が長すぎる場合、暗電流が蓄積されて、Ｘ線ストリームが受け取られていないときに画像の取り込みをトリガーすることになる。選ばれたリセット時間が短すぎる場合、Ｘ線の放射線の受け取りを知らせるのに十分な電荷を画素アレイ２２で積分することができないことになる。したがって、トリガー閾値は横切られず、Ｘ線ストリーム１６は検出されないことになる。さらに、リセット時間は、動作中、異なる環境設定に合わせて自動的に調節することができない。たとえば、図６に示すように、暗電流は温度に大きく依存する。温度変動の可能性があるために、リセット時間を適切に選択することの困難さが増加される。さらに、第１の設定で適切なリセット時間は、第２の設定では適切でないことがある。１つの追加の問題は、源１２、源１２とセンサ２０の間の距離、および源１２とセンサ２０の位置合わせに依存して、異なる量の放射線が放射される場合があるということである。そのため、リセット時間は、蓄積された暗電流による誤ったトリガーを回避するのに十分短く、Ｘ線の放射線の低放射線量に適合するのに十分長くなければならない。
【００３２】
図９および１０に、これらの問題に対処する適応タイミングプロセス２５０を表す（図１０に、タイミング図２５１を表し、それは、以下で述べる）。図９のプロセス２５０は、ステップ２５２で始まり、リセットステップ２５４に進む。リセットステップ２５４では、変数ｉが０にリセットされ、リセット信号２５６をパルスすることによって、画素アレイ２２がリセットされる。リセットステップの後、センサは、ダイオード電圧２５８がステップ２６２でトリガー閾値２６０を横切るまで、暗電流を蓄積することが可能である。カウンタがリセットステップ２５４と暗電流によってトリガー閾値２６０を横切るまでとの間のクロックパルス２６４の数を数えて、ｔ０＝クロックパルス２６４の数とセットする。この値ｔ０は、初期暗電流トリガー時間である。また、値ｔｉは「時系列」として参照される。
【００３３】
プロセス２５０はステップ２６６に進み、そこで、リセット信号２５６をパルスすることによって画素アレイが再びリセットされ、ｉ＝ｉ＋１とセットされる。ステップ２６８で、プロセス２５０はトリガー値２７０が論理ハイに変化したかどうかを判定することによって、トリガー閾値を横切ったかどうかを判定する。ステップ２６８は、トリガー値２７０が論理ハイに変えられるまで繰り返される。トリガー値２７０が論理ハイになったとき、ステップ２７２で、ｔｉ＝リセットステップ２６６から経過したクロックパルス２６４の数とセットされる。ステップ２７６で、ＴＡＶＧ（ｉ＝０からｉまでのｔｉの移動平均）が計算される。さらに、時刻ｉ＝０からｉまでのＴＡＶＧの標準偏差が、ステップ２７６で計算される。ＴＡＶＧは、暗電流による平均トリガー時間を表す。この平均暗電流トリガー時間は、画素アレイ２２のリセットと、ダイオード電圧が暗電流によって閾値２６０を横切るまでの間の平均経過時間である。いくつかの実施形態では、ＴＡＶＧは、単にｔｉ−１に等しくセットされるか、または前のｔｉ値の最大数（たとえば、ｉ＝ｉ−２０からｉのｔｉ）だけについてのｔｉの移動平均である。
【００３４】
その後、ステップ２７８で、ＴＡＶＧ−ｔｉがＴＡＶＧの標準偏差の倍数と比較される。ＴＡＶＧ−ｔｉがＴＡＶＧの標準偏差のｎ倍より大きい場合、Ｘ線が検出される。微調整変数「ｎ」の値は、検出プロセスを調節するように選択される。いくつかの実施形態では０＜ｎ＜１であり、ＴＡＶＧからの小さな変動からＸ線が検出されることになることを意味する。他の実施形態では、ｎ＞１であり、ＴＡＶＧからの大きな変動の場合だけ、Ｘ線が検出されることになる。さらに他の実施形態ではｎ＝１であり、標準偏差より大きいいかなるＴＡＶＧからの変動の場合もＸ線が検出されることになる。Ｘ線の検出のとき、プロセス２５０は、ステップ２８０に進み、そこで画素アレイ２２がプロセッサ２３によって読み出されて、ステップ２８２でコンピュータ３０に出力される。しかし、ステップ２７８で、ｔｉ−ＴＡＶＧがｎとＴＡＶＧの標準偏差の積より小さい場合、プロセスはステップ２６６に戻り、画素アレイをリセットしｉ＝ｉ＋１とセットする。
【００３５】
いくつかの実施形態では、ステップ２７８の比較は、ＴＡＶＧとｔｉの間の差を所定値（たとえば、０、１、２など）と比較するだけである。ＴＡＶＧとｔｉの間の差が所定値より大きい場合、方法２５０によってＸ線がセンサ２０で受け取られたと判定する。
【００３６】
他の実施形態では、ステップ２７６は複数のサブステップ（示さず）に置き換えられ、各サブステップは、ＴＡＶＧとｔｉの間の差と、ユニークな所定値（たとえば、０、１、２など）または動的な値（標準偏差）との比較を含む。複数の比較を使用すると、プロセス２５０によって、１）高線量率、短い持続期間のＸ線露光、および２）低線量率、長い持続期間のＸ線露光の両方を検出することが可能になる。高線量率、短い持続期間の露光を検出するために、１つのサブステップは、もっとも最近のｔｉ値だけに焦点を合わせた検出アルゴリズムを含むことができる。低線量率、長い持続期間の露光を検出するために、他のサブステップは、より長い期間にわたってｔｉ値を解析する検出アルゴリズムを含むことができる。サブステップは並列に実行され、いずれかのサブステップがＸ線の検出されたことを示した場合、プロセス２５０はステップ２８０に進む。たとえば、変数Ｘが変数Ｙより大きい場合、高線量率、短い持続期間の露光を検出するための第１のサブステップは、ＴＡＶＧとｔｉの間の差がＸより大きい場合にＸ線を検出することができる。低線量率、長い持続期間の露光を検出するための第２のサブステップは、ＴＡＶＧとｔｉの間の差、ＴＡＶＧとｔｉ−１の間の差、ＴＡＶＧとｔｉ−２の間の差、ＴＡＶＧとｔｉ−３の間の差、およびＴＡＶＧとｔｉ−４の間の差がすべてＹより大きい場合に、Ｘ線を検出することができる。ＸおよびＹは、所定の静的な値か、またはＴＡＶＧの標準偏差などの動的な値にある程度基づいたものでよいが、様々な微調整変数ｎを使用してもよい。第３のサブステップは、ｔｉとｔｉ−１の間の差が変数Ｚより大きいことを判定するだけでＸ線を示すことができる。この第３のサブステップでは、変数Ｚは、単にノイズによって引き起こされたいかなる起こり得る変動よりも大きくなるように、比較的大きくすべきである。
【００３７】
いくつかの実施形態では、ステップ２６２および２６８はタイムアウト限界を有し、それによって、センサ２０が閾値２６０を横切らない場合、所定の時間の経過後にタイムアウト信号を発生する。したがって、タイムアウト限界は、エラーによって閾値２６０を横切ることが防止されたときに、センサ２０が無限の時間待つことを防止する。
【００３８】
いくつかの実施形態では、ＴＡＶＧまたはｔｉの値は、センサ２０が過熱状態である（たとえば、直射日光に曝されたために）ことを示すものとして、プロセッサ２３が使用する。たとえば、暗電流によってダイオード電圧が閾値２６０を一度横切った場合、または所定回数繰り返し横切った場合のいずれかにおいて、ＴＡＶＧが低すぎる場合、プロセッサ２３はセンサ２０が過熱していると判断を下す。センサ２０が過熱していると検出されたとき、適切な警戒信号、警報または他の情報がユーザに提供される。
【００３９】
ここで、図１０を参照すると、タイミング図２５１にはトリガー値２７０が含まれ、それは、ダイオード電圧２５８がトリガー閾値２６０を横切ったことを示す。たとえば、クロックパルス２６４を数えることによって時間が測定される。次いで、変数ｔｉが、プロセス２５０について述べたように、数えられたクロックパルスの数にセットされる。リセット信号２５６がパルスされ、画素アレイ２２をリセットし、ダイオード電圧２５８をリセットする。図１０に示す実施形態では、０．５Ｖのトリガー閾値２６０、２Ｖの初期ダイオード電圧２５８が使用される。他の実施形態では、異なる値が使用される。
【００４０】
プロセス２５０のいくつかの実施形態では、センサ２０は準備完了状態または待機状態になるように構成される。センサ２０が待機状態であるとき、プロセス２５０は、ステップ２７８での判定が誤りであると常に判定されることを除いて正常に進み、このプロセスはＴＡＶＧ、ｔｉ、ｎ、およびＴＡＶＧの標準偏差の値にかかわらずステップ２６６に戻る。センサ２０が準備完了であるとき、ステップ２７８での判定は正常に実行される（ＴＡＶＧ−ｔｉが調整変数ｎとＴＡＶＧの標準偏差の積より大きい場合、プロセスは、ステップ２８０に進む）。しかし、センサ２０が待機していた間に計算された値は、継続して準備完了の状態で使用される。
【００４１】
いくつかの実施形態では、一定利得レベルが画素アレイ２２から出力されたデータに適用される。利得レベルは、ダイオード電圧２５８の変化率２５９を変更する（図１０参照）。たとえば、利得レベルがより高いと変化率２５９が増加し、それによって、閾値電圧２６０を横切らせるために積分素子４８におけるより小さな電荷積分が必要となる。対照的に、利得レベルがより低いと変化率２５９が低下し、それによって、閾値電圧２６０を横切らせるために積分素子４８におけるより大きな電荷積分が必要となる。いくつかの実施形態では、利得レベルはｔｉレベルに基づき変更される。たとえば、ｔｉレベルが短すぎる場合、利得レベルは低下して、平均暗電流時間を増加させることがある。一般に、その結果には、Ｘ線がセンサで受け取られたとき、ＴＡＶＧ（平均暗電流時間）とｔｉ値の間の差がより大きくなることが含まれる。ｔｉレベルが長すぎる場合、利得レベルは増加し、Ｘ線関連の電荷は十分に積分されて、ノイズの低いＸ線画像を生成することができる。
【００４２】
いくつかの実施形態では、プロセス２５０で計算された平均暗電流トリガー時間は、プロセッサ２３が使用してセンサ２０が動作している温度を見積もる。計算された温度は、特に、センサ２０の温度記録を生成し、センサ２０が許容温度範囲外の温度で動作していることをユーザに警告するために使用することができる。温度記録はセンサ２０に課された熱ストレス（たとえば、センサに消毒剤を吹き付けることによって生じるストレス）を同定するために、または他の保全解析のために使用される。さらに、計算された温度は、センサ２０のオフセット画像を縮小拡大すること、センサ２０のオフセット画像を予測すること、またはその両方に使用することができる。
【００４３】
他の実施形態では、画素アレイ２２に対する所望の積分時間が、画素アレイ２２のリセットと、（方法２５０によって判定される）画素アレイ２２でのＸ線の受け取りまでの間の時間ｔｉを解析することによって見積もられる。時間ｔｉは、線量率を見積もるために解析される。ｔｉがより短いと、見積もられた線量率はより高くなる。というのは、閾値を横切るためにかかる時間の長さが短いからである。線量率の見積もりがいったん決定されると、積分時間（すなわち、図４の時刻８４と８８の間の時間）は適切に調節することができる。たとえば、プロセッサ２３が高線量率を見積もった場合、より短い積分時間が使用される。プロセッサ２３が低線量率を見積もった場合、より長い積分時間が使用される。正確に見積もられた線量率に基づき積分時間を調節すると、画素アレイ２２中の暗電流は長い積分時間のためにより少なくなり、その上、余りにも早くＸ線信号の積分を中断する短い積分時間を防止する。
【００４４】
プロセス１５０および２５０は、画素アレイ２２の全体にわたって蓄積された電荷に基づく検出プロセスを使用する。画素アレイ全体上の電荷の測定はいくつかの状況下では適切な検出を提供するが、蓄積された電荷の積分レベルは、Ｘ線の場が画素アレイ２２全体をカバーしない場合、変化する。Ｘ線の場が画素アレイ２２全体をカバーしないとき（「円錐カット（ｃｏｎｅ  ｃｕｔ）」としても参照される）、Ｘ線による積分量はカバーされていなかった画素アレイ２２の部分に比例して減少するが、暗電流の作用は、それでも画素アレイ２２全体にわたって積分される。したがって、Ｘ線は、Ｘ線源が画素アレイ２２に適切に位置合わせされていない場合検出されない恐れがある。たとえば、図１１ａでは、Ｘ線源１２は適切に位置合わせされており、画素アレイ２２はＸ線ストリーム１６の円４００内に完全に含まれる。しかし、図１１ｂおよび１１ｃでは、Ｘ線ストリーム１６の円４００は画素アレイ２２の全体には達していない。むしろ、画素アレイの一部分だけがＸ線の放射線を受け取っている。画素アレイ２２の全体より小さい部分でＸ線の放射線を受け取っている場合、画素アレイ２２上に蓄積される電荷量は、（たとえば、図１１ａに示すように）円４００内に画素アレイ全体が含まれる場合より少なくなる。したがって、図１１ｂおよび１１ｃでは、Ｘ線の放射線を受けたにもかかわらず、トリガー閾値を横切らない恐れがある。
【００４５】
位置合わせ不良のＸ線源に配慮するために、いくつかの実施形態では、検出プロセス１５０および２５０は画素アレイ２２の複数の区域を別々にモニタする。たとえば、図１１ａ〜ｃの画素アレイ２２は１４個の区域を含み、例示の目的で、その４つは区域４０２、４０４、４０６および４０８と名付ける。したがって、Ｘ線が、それらの区域のいずれかで検出された場合、プロセスは画素アレイ２２全体でＸ線を検出して、画像取り込みを行う。したがって、自動的な検出プロセスは、Ｘ線源１２およびセンサ２０の位置合わせ不良に配慮している。
【００４６】
いくつかの実施形態では、別々にモニタされている画素アレイ２２の複数の区域の１つまたは複数は、Ｘ線検出の後に検出モードの状態に保たれ、一方画素アレイ２２の区域の残りは積分モードに切り替えられる。検出モードのままであるいくつかの区域からもたらされた情報は、１）誤トリガーが行われなかったことを確認する、２）Ａ／ＣのＸ線パルスパターンを検出する、および３）画素アレイ２２で受け取られているＸ線放射の終了を検出するために使用することができる。上記に述べたように、Ｘ線放射の終了の検出は、画素アレイ２２の積分の持続期間をＸ線露光の持続期間により厳密に合わせるために使用することができる。積分の持続期間をより厳密に合わせることは、Ｘ線露光の持続期間をより厳密に合わせるように時刻８４と８８の間の期間を減少させる。
【００４７】
上記に述べた検出プロセスはヒトの歯科に向けられているが、いくつかの実施形態では、このプロセスは、獣医学の用途、歯以外の用途、および無生物の撮像を対象としたＸ線センサとともに使用される。さらに、いくつかの実施形態では、センサ２０のプロセッサ２３およびメモリ２４、またはそれらの付随する機能は、コンピュータ３０に属しているか、またはその中で実行される。
【００４８】
タイミング図およびプロセスは、具体的な論理状態、たとえば論理ハイおよび論理ローを用いて述べたが、本発明の実施形態では、同様の事象を信号で伝えるために、代替の信号の位置付けの使用が意図される。たとえば、トリガー値２７０は、ダイオード電圧２５８が図１０のトリガー閾値２６０を横切ったときに論理ハイになる。しかし、いくつかの実施形態では、トリガー値２７０はトリガー閾値２６０を横切ったことを示すために論理ローになる。
【００４９】
したがって、本発明は、とりわけ、Ｘ線を自動的に検出するためのシステムおよび方法を提供する。本発明の様々な特徴および効果は、以下の特許請求の範囲で述べる。
【符号の説明】
【００５０】
１０  歯科Ｘ線システム
１２  Ｘ線源
１３  端部
１５  機械的アーム
１６  Ｘ線ストリーム
２０  口内センサ、センサ
２１  患者
２２  画素アレイ
２３  プロセッサ
２４  メモリ
２５  入出力インターフェース
３０  コンピュータ
３２  プロセッサまたは同様の電子デバイス
３４  入出力インターフェース
３６  メモリ
３８  ディスプレイ
４０  Ｘ線画像
４２  画素
４４  リセットスイッチ
４５  検知スイッチ
４６  リセット／検知スイッチ
４７  検知ライン
４８  積分素子
５０  読み出し増幅器
５２  読み出しスイッチ
５４  行選択信号、行選択ライン
５６  列選択信号、列選択ライン
５７  出力経路
５８  Ａ／Ｄ変換器
８０  時間軸
８２、８４、８６、８８  時刻
９０  モデル
９２  Ｘ線信号
９４  ランダムノイズ
９６  暗電流
９８  積分器
１００  ブロック
１０２ａ、１０２ｂ、１０２ｃ  ブロック
１０８  Ａ／Ｄ変換器
１８１  リセット信号
１８２  ダイオード電圧
１８３  閾値電圧
２５６  リセット信号
２５８  ダイオード電圧
２５９  変化率
２６０  トリガー閾値、閾値電圧
２６４  クロックパルス
２７０  トリガー値
４００  円
４０２、４０４、４０６、４０８  区域
【図１】
2010099481.tif 000003
【図２】
2010099481.tif 000004
【図３】
2010099481.tif 000005
【図４】
2010099481.tif 000006
【図５】
2010099481.tif 000007
【図６】
2010099481.tif 000008
【図７】
2010099481.tif 000009
【図８】
2010099481.tif 000010
【図９】
2010099481.tif 000011
【図１０】
2010099481.tif 000012
【図１１】
2010099481.tif 000013
【外国語明細書】
2010099481000001.pdf